(57)【要約】【課題】組立て作業が容易な冷蔵庫を提供する。【解決手段】断熱箱体３の背面上方位置に回路基板５を収納するための回路基板収納室１１を備えた冷蔵庫１であって、回路基板収納室１１としての凹部を有し、断熱箱体３の背面側に回路基板５のリード線８を通すための溝であって、背面側が開放されるリード線通し溝３５を備えた回路基板収納部材２１と、断熱箱体３の背面における回路基板収納室１１よりも下方部分を覆う後板１５と、後板１５と回路基板収納部材２１との重なり合わされた部分を背面側から押えつけた状態で断熱箱体３に固定される当て板９とを備え、後板１５は、その上端部と下端部を断熱箱体３の背面に後方から当てがい、螺子止めによって固定するようにしたものである。【選択図】図１
2014137149.tif 000002
【特許請求の範囲】
【請求項１】
中空で略直方体形状の断熱箱体を備え、前記断熱箱体の背面上方位置に回路基板を収納するための回路基板収納室を備えた冷蔵庫において、
前記回路基板収納室としての凹部を有し、前記断熱箱体の背面側に前記回路基板のリード線を通すための溝であって、背面側に開放されているリード線通し溝を備えた回路基板収納部材と、
前記断熱箱体の背面における前記回路基板収納室よりも下方部分を覆う後板とを備え、
前記後板は、その上端部と下端部を前記断熱箱体の背面に後方から当てがい、螺子止めによって固定するようにしたことを特徴とする冷蔵庫。
【請求項２】
前記後板の上端部を背面側から押えつけた状態で前記断熱箱体に固定する当て板を備えたことを特徴とする請求項１に記載の冷蔵庫。
【請求項３】
前記リード線通し溝を背面側から塞いだ形で当該リード線通し溝内に位置する前記リード線を当該リード線通し溝内に固定するリード線固定具を備えたことを特徴とする請求項１又は請求項２に記載の冷蔵庫。
【発明の詳細な説明】
【技術分野】
【０００１】
実施形態は、冷蔵庫に関する。
【背景技術】
【０００２】
外箱と内箱の間に断熱材が充填されてなる断熱箱体の背面上方部に回路基板が収納された冷蔵庫がある。例えば、特許文献１では、断熱箱体の背面の上方に回路基板収納室を備え、この回路基板収納部に回路基板が配置された冷蔵庫が開示されている。
【０００３】
回路基板から伸びるリード線は、下方に位置する機械室内の装置や、冷蔵庫正面に配設された操作パネルなどに連結する必要がある。回路基板が断熱箱体の背面上方に配置された冷蔵庫では、後板と断熱箱体との間の空間に回路基板収納室からリード線を通しているのが一般的である。このような冷蔵庫では、リード線を断熱箱体と後板との間に容易に通すことができる構造が求められている。
【０００４】
また、断熱箱体の上方に回路基板が配置されている冷蔵庫では、リード線を断熱箱体の背面側に通した後で後板を取り付ける必要があるため、後板を容易に取り付けられる構造が求められている。しかしながら、従来の冷蔵庫では、回路基板収納室を構成する回路基板収納部材の下方に後板の上端部分を挿入するための溝を設け、この溝に後板の上端を下から上へスライドさせて挿入する構造となっているため、後板を上方にスライドさせながら取り付ける必要があった。後板は大きな板であるため、このようにスライドさせながら取り付けるのは非常に手間のかかる作業であり、またスライド挿入させる際に溝に突起が嵌まらずに変形させたり損傷させてしまったりして、不良品が出やすい問題点があった。
【先行技術文献】
【特許文献】
【０００５】
【特許文献１】特開平６−６６４７４号公報
【発明の概要】
【発明が解決しようとする課題】
【０００６】
本発明は、上記従来技術の課題に鑑みてなされたもので、リード線を回路基板収納室から断熱箱体と後板との間の空間に容易に通すことができ、かつ、後板を容易に取り付けることができる構造を備えることにより、組立て作業が容易な冷蔵庫を提供することを目的とする。
【課題を解決するための手段】
【０００７】
実施形態は、中空で略直方体形状の断熱箱体を備え、前記断熱箱体の背面上方位置に回路基板を収納するための回路基板収納室を備えた冷蔵庫において、前記回路基板収納室としての凹部を有し、前記断熱箱体の背面側に前記回路基板のリード線を通すための溝であって、背面側が開放とされるリード線通し溝を少なくとも一つ以上備えた回路基板収納部材と、前記断熱箱体の背面における前記回路基板収納室よりも下方部分を覆う後板とを備えたことを特徴とする。
【図面の簡単な説明】
【０００８】
【図１】実施形態における冷蔵庫の背面斜視図である。
【図２】上記冷蔵庫の回路基板収納部材の斜視図である。
【図３】上記冷蔵庫の後板を取り外した状態での拡大斜視図である。
【図４】上記冷蔵庫の後板の上端近傍部分の拡大斜視図である。
【図５】上記冷蔵庫における後板の取り付け方に関する説明図である。
【図６】上記冷蔵庫における後板の取り付け方に関する説明図である。
【図７】上記冷蔵庫における後板の取り付け方に関する説明図である。
【図８】図８（ａ）は、実施形態における回路基板収納部材と後板の接続部分を拡大した断面図であり、図８（ｂ）は、従来の回路基板収納部材と後板の接続部分を拡大した断面図である。
【発明を実施するための形態】
【０００９】
以下、実施の形態を図に基づいて詳説する。図１に示す実施形態の冷蔵庫１は、内箱と外箱の間に断熱材を挟んで構成される断熱箱体３を備える。断熱箱体３の背面上方には回路基板５が収納される回路基板収納室１１が配置され、断熱箱体３の下方には機械室１３が配置されている。回路基板収納室１１と機械室１３の間には後板１５が配置されている。尚、以下の説明では、冷蔵庫１は図１に示すように通常の使用状態として立った状態でかつ、正面から見て上下、左右を説明するが、冷蔵庫１を背面側から見た場合、正面側から見たのと上下は同じであるが、左右は逆になる。また、組立工程においては、背面部材の取付には、冷蔵庫１の正面側を下向きに水平に寝かせた状態で背面部材を「上から」降ろすようにして取り付けることになるが、以下の説明では、図示の姿勢を参照して、「後方から」あるいは「背方から」取り付けると説明することがある。また、
本実施形態における冷蔵庫１は、リード線８を回路基板収納室１１から後板１５と断熱箱体３の間の空間に容易に通すことができる構造を特徴としている。また、本実施形態における冷蔵庫１は、後板１５を断熱箱体３に取り付けるときに下方から上方へスライドさせて嵌め込む必要がなく、後板１５を断熱箱体３の背面側に被せ、当て板９で背方から固定するだけで容易に後板１５を固定できることを特徴としている。
【００１０】
図２及び図３に示すように、回路基板収納室１１は、プラスティック製の回路基板収納部材２１によって構成されている。尚、図２は冷蔵庫１を後方から見た図であり、図の左側が左、右側が右であり、該冷蔵庫１を前方から見た場合の左右とは逆である。回路基板収納部材２１は、回路基板収納室１１を構成する凹部２２を備え、凹部２２は背面側が開口している。この凹部２２は、底板３１と、底板３１の外周縁から背面側に立ち上がる側壁３２と、から形成されている。底板３１は、略方形状であるが、左辺の下端から上下中央近傍部分までが左側に僅かに突出しており、段差部３３を備えている。また、底板３１には、回路基板５を固定するための螺子孔３１ａが複数形成されている（図２においては、一つの螺子孔３１ａのみ視認できる）。
【００１１】
回路基板収納室１１の凹部２２の背面側端部、すなわち、側壁３２の背面側端部には、図示しない回路基板収納室カバーが取り付けられるカバー取付部２３が外方に延在するように形成されている。カバー取付部２３には、図示しない回路基板収納室カバーを螺子などで固定するための複数の螺子孔２３ａが形成されている。また、カバー取付部２３の外方端部には、縁部２４が外方に延在するように形成されており、カバー取付部２３と縁部２４の間には段差２５が形成されている。
【００１２】
下方Ｄに位置するカバー取付部２３Ｄ及び縁部２４Ｄには、回路基板５のリード線８を凹部２２から断熱箱体３と後板１５との間の空間へ通すためのリード線通し溝３５が形成されている。このリード線通し溝３５は、上下方向及び背面側が開口しており、凹部２２と後板１５の内側の空間（後板１５と断熱箱体３との間の空間）とを接続している。また、リード線通し溝３５は、底（正面側）が曲面形状とされ、背面側端部近傍には後述するリード線固定具１８が嵌合される嵌合部３５ａを備えている。尚、嵌合部３５ａは、爪が入り込む段差や切り欠きによって構成されている。リード線８は、リード線通し溝３５を通って回路基板収納室１１から後板１５と断熱箱体３の間の空間に配設され、リード線通し溝３５において背面側からリード線固定具１８により固定されている。尚、図２及び図３においては、リード線通し溝３５が２つ設けられているが、少なくとも一つ以上設けられていればよく、２つに限定されるものではない。
【００１３】
カバー取付部２３Ｄと縁部２４Ｄの境界部分には、当て板ガイド部３７が形成されている。この当て板ガイド部３７は、カバー取付部２３Ｄの下端縁から背面側に突出する上壁３７ａと、上壁３７ａの背面側端部から下方に延在する背面壁３７ｂとを備え、背面壁３７ｂが縁部２４Ｄの背面側に僅かに入り込んでいる。すなわち、縁部２４Ｄの上方は、縁部２４Ｄと背面壁３７ｂとにより二重の構造となっている。背面壁３７ｂと縁部２４Ｄの間には複数の立壁３７ｃが形成されている。尚、当て板ガイド部３７の下方であって縁部２４Ｄの背面側が後述する当て板９が配置される当て板配置部６８となる。
【００１４】
また、カバー取付部２３Ｄには、後述する後板１５の端固定用突起６６を嵌め込んで固定するための突起用溝３８が複数形成されている。当て板ガイド部３７における突起用溝３８の近傍に位置する部分は切り欠かれており、後板１５の端固定用突起６６が突起用溝３８に入り込むことができるように形成されている。また、突起用溝３８の底には、突起６６を螺子止めするための螺子孔３８ａが形成されている。
【００１５】
回路基板収納部材２１の左右側方部分には、傾斜部４１と、傾斜部４１の上方に位置する凹み部４２と、が形成されている。傾斜部４１は、左右の縁部２４Ｌ、２４Ｒの端部に接続されている。また、傾斜部４１の左右両端部には、側方に延在するフランジ４４が形成されている。このフランジ４４は、断熱箱体３に固定される部位であり、断熱箱体３に螺子等で固定される螺子孔４９が形成されている。凹み部４２の上端近傍には、把持部４８が形成されている。
【００１６】
リード線固定具１８は、リード線通し溝３５に位置するリード線８を背面側から固定する部材である。このリード線固定具１８は、リード線通し溝３５に嵌合されたときに回路基板収納部材２１のカバー取付部２３Ｄや縁部２４Ｄと略面一となる平板部１８ａと、平板部１８ａの左右両側端から正面方向に垂下する側壁１８ｂとを備えている。側壁１８ｂの正面側端部近傍には、リード線通し溝３５の嵌合部３５ａに嵌め込まれる嵌合部１８ｃが形成されている。嵌合部１８ｃは複数の爪などによって構成されており、爪がリード線通し溝３５の嵌合部３５ａに形成された溝などと噛み合うように形成されている。また、平板部１８ａには、リード線通し溝３５に嵌合されたときに回路基板収納部材２１の当て板ガイド部３７と連続する当て板ガイド部１８ｄが形成されている。
【００１７】
図１及び図４に示すように、後板１５は断熱箱体３の背面側であって回路基板収納室１１と機械室１３との間を塞ぐ平板部６１と、平板部６１の左右両方向の端部から側方（左右方向）に傾斜する傾斜部６２とを備える。傾斜部６２は、後板１５を断熱箱体３に取り付けたときに回路基板収納部材２１の傾斜部４１と略面一となる。傾斜部６２の側端部には、断熱箱体３の側板３ａに接続されるフランジ６３が形成され、フランジ６３には、複数の螺子孔６３ａが形成されている。また、後板１５の上端近傍部には、当て板ガイド部６４が左右方向に延在して形成されている。この当て板ガイド部６４は、回路基板収納部材２１の当て板ガイド部３７との間で当て板９が配置される当て板配置部６５を形成する部位である。また、後板１５の上端には、回路基板収納部材２１の突起用溝３８に配置される複数の端固定用突起６６が形成されており、端固定用突起６６には、螺子孔６７が設けられている。
【００１８】
図２に示すように、当て板９は左右方向に延在する細長い板状体であり、中央の平板部９ａと、平板部９ａの両側端（左右方向端部）に位置する傾斜部９ｂと、傾斜部９ｂの両側端から外方に突出するフランジ９ｃとを備える。また、フランジ９ｃには、断熱箱体３の側板３ａと螺子などで接続するための螺子孔９ｄが形成されている。
【００１９】
次に、図５から図８を用いて、後板１５の取り付け方について述べる。まず、回路基板５を回路基板収納部材２１の凹部２２に収納し、螺子等で回路基板５を固定する。そして、回路基板５から伸びるリード線８をリード線通し溝３５を介して断熱箱体３の背面側に通す。次に、リード線固定具１８をリード線通し溝３５に嵌合させて、リード線８を固定する。
【００２０】
リード線固定具１８の装着が完了した後、後板１５を断熱箱体３の背面側に配置する。後板１５を断熱箱体３の背面側に配置するときは、断熱箱体３の背面側からただ被せるだけでよい。すなわち、後板１５の下端を機械室１３の上方にあてがい、後板１５の上端近傍を回路基板収納部材２１の縁部２４Ｄの背面側に載せる。そして螺子を端固定用突起６６の螺子孔６７と突起用溝３８の螺子孔３８ａに螺入して後板１５の上端を仮固定する。このとき、端固定用突起６６は、回路基板収納部材２１の突起用溝３８に合わされて位置決めされることとなる。こうして、図６に示すように後板１５を配置し仮固定した状態で、当て板９を後板１５の上端近傍に形成された当て板配置部６５に配置し、フランジ９ｃを断熱箱体３の側板３ａにあてがい、螺子を当て板９の螺子孔９ｄ又は９ｅと後板１５の螺子孔６９と基板収納部材２１の下端縁部の当て板配置部６８の螺子孔２４ａに螺入して固定する。これにより、後板１５の上端近傍と回路基板収納部材２１の下端近傍を重ね合わせて固定し、さらに当て板９で重ね合わさった部分を背面側から押え付け、当て板９を断熱箱体３に確実に固定する。後板１５も断熱箱体３の側板３ａに螺子で固定する。尚、後板１５と回路基板収納部材２１の縁部２４Ｄとの間には、図８（ａ）に示すように、ウレタンシールなどのシール８１を施す。
【００２１】
このように、本実施形態における冷蔵庫１は、回路基板収納部材２１にリード線通し溝３５を設けることにより、リード線８を回路基板収納室１１から後板１５と断熱箱体３の間の空間に容易に通すことができる。よって、リード線８を回路基板収納室１１から後板１５と断熱箱体３との間の空間に通した場合に、リード線８が後板１５と回路基板収納部材２１との間に挟まって切断されたり、傷ができて漏電したりすることを防止できる。また、リード線８を回路基板収納室１１から後板１５と断熱箱体３との間の空間に通す作業が容易にできるため、冷蔵庫１を組立てる作業効率を高めることができる。
【００２２】
また、当て板９で後板１１の上端近傍に形成される当て板配置部６５を背面側から押える構造であるため、後板１１を取り付けるときには単に断熱箱体３の背面側から被せるだけでよく、下方から上方へスライドなどさせる作業が必要でない。すなわち、従来の冷蔵庫では、図８（ｂ）に示すように、回路基板収納部材２１’の下端部分に後板１５’の上端部分を挿入するための受け部１６’などが形成されていた。よって、後板１５’を断熱箱体３に固定するためには、後板１５’の上方を受け部１６’に下方から上方へスライドさせながら挿入させる必要があった。後板１５’は大きく重量がある部材であるため、この作業は手間がかかる作業であった。しかし、本実施形態では、断熱箱体３を正面を下側にして寝かせた状態で後板１５を断熱箱体３の背面側の所定の場所に載せ、螺子止めするだけでよく、重い後板１５をスライドをさせる必要がない。よって、冷蔵庫１の組立て作業がし易くなり、作業効率を上げることができる。
【００２３】
また、リード線固定具１８により、リード線通し溝３５内のリード線８を固定できるため、後板１５を取り付けるときにリード線８がリード線通し溝３５から飛び出すことがなく、後板１５を取り付ける作業が容易となる。
【００２４】
さらに、後板１５と基板収納部材２１とは重なり合っているだけ、すなわち、基板収納部材２１の背面側に後板１５を載せてから螺子止めするため、後板１５と基板収納部材２１との間を容易にシールできることとなる。よって、後板１５と基板収納部材２１が重なり合った部分から水分などが入り込むことを防止できる。
【００２５】
本発明の実施形態を説明したが、この実施形態は例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２６】
１  冷蔵庫
３  断熱箱体
５  回路基板
８  リード線
９  当て板
９ａ  平板部
９ｂ  傾斜部
９ｃ  フランジ
９ｄ  螺子孔
１１  回路基板収納室
１３  機械室
１５  後板
１８  リード線固定具
１８ａ  平板部
１８ｂ  側壁
１８ｃ  嵌合部
１８ｄ  当て板ガイド部
２１  回路基板収納部材
２２  凹部
２３  カバー取付部
２４  縁部
２５  段差
３１  底板
３１ａ  螺子孔
３２  側壁
３３  段差部
３５  リード線通し溝
３５ａ  嵌合部
３７  当て板ガイド部
３７ａ  上壁
３７ｂ  背面壁
３７ｃ  立壁
３８  突起用溝
３８ａ  螺子孔
４１  傾斜部
４２  凹み部
４４  フランジ
４８  把持部
４９  螺子孔
６１  平板部
６２  傾斜部
６３  フランジ
６３ａ  螺子孔
６４  当て板ガイド部
６５  当て板配置部
６６  端固定用突起
６７  螺子孔
【図１】
2014137149.tif 000003
【図２】
2014137149.tif 000004
【図３】
2014137149.tif 000005
【図４】
2014137149.tif 000006
【図５】
2014137149.tif 000007
【図６】
2014137149.tif 000008
【図７】
2014137149.tif 000009
【図８】
2014137149.tif 000010